【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
電子、光学または光電子デバイスであって、該デバイスは、
第一電極、
第二電極、および
該第一電極と該第二電極との間に配置された半導体成分
を含み、
該半導体成分は下記：
【化５１】
2012527784.tif 000001
から選択される式を有するコポリマーを含む、デバイス
［式中、
Ｍは、任意に置換された２，１，３−ベンゾチアジアゾール−４，７−ジイル基であり、
Ｒは、分枝鎖Ｃ６−２０アルキル基であり、
Ｒ７は、直鎖Ｃ６−２０アルキル基または直鎖Ｃ６−２０アルコキシ基であり、
ｘおよびｙは、モル分率を表す実数であり、ここで、０．１≦ｘ≦０．９、０．１≦ｙ≦０．９であり、ｘおよびｙの合計は約１である］。
【請求項２】
前記コポリマーが下記：
【化５２】
2012527784.tif 000002
から選択される式を有する、請求項１に記載のデバイス
［式中、
Ｒは、分枝鎖Ｃ６−２０アルキル基であり、
Ｒ７は、直鎖Ｃ６−２０アルキル基であり、
ｘおよびｙは、モル分率を表す実数であり、ここで、０．２≦ｘ≦０．８、０．２≦ｙ≦０．８であり、ｘおよびｙの合計は約１である］。
【請求項３】
前記コポリマーが下記：
【化５３】
2012527784.tif 000003
から選択される式を有する、請求項１に記載のデバイス
［式中、
Ｒは、分枝鎖Ｃ６−２０アルキル基であり、
Ｒ７は、直鎖Ｃ６−２０アルコキシ基であり、
ｘおよびｙは、モル分率を表す実数であり、ここで、０．２≦ｘ≦０．８、０．２≦ｙ≦０．８であり、ｘおよびｙの合計は約１である］。
【請求項４】
０．５≦ｘ≦０．９、０．１≦ｙ≦０．５であり、ｘおよびｙの合計が約１である、請求項１に記載のデバイス。
【請求項５】
前記コポリマーのモル分率ｘを構成する単位、および該コポリマーのモル分率ｙを構成する単位が、ランダムに反復されている、請求項１に記載のデバイス。
【請求項６】
前記コポリマーが１０〜約１０，０００の重合度（ｎ）を有する、請求項１に記載のデバイス。
【請求項７】
アノード、カソード、および該アノードと該カソードとの間にある請求項１に記載の半導体成分を含む有機光起電性デバイスとして構成された、請求項１に記載のデバイス。
【請求項８】
前記有機光起電性デバイスが、バルクヘテロ接合光起電性デバイスである、請求項７に記載のデバイス。
【請求項９】
前記半導体成分が、光活性であり、かつ、ブレンド材料を含み、該ブレンド材料中の前記コポリマーが電子供与体として機能し、該ブレンド材料が電子受容化合物をさらに含む、請求項８に記載のデバイス。
【請求項１０】
前記電子受容化合物がフラーレン化合物である、請求項９に記載のデバイス。
【請求項１１】
前記フラーレン化合物が、［６、６］−フェニル−Ｃ６１−酪酸メチルエステル（ＰＣＢＭ）である、請求項１０に記載のデバイス。
【請求項１２】
電力変換効率が少なくとも約４％である、請求項７に記載のデバイス。
【請求項１３】
基板、アノード、カソード、および該アノードと該カソードとの間にある請求項１に記載の半導体成分を含む有機発光ダイオードとして構成された、請求項１に記載のデバイス。
【請求項１４】
第三電極および誘電体成分をさらに含む有機トランジスターとして構成され、前記半導体成分が前記第一電極および該第三電極と接触し、該誘電体成分が、一方の側で該半導体成分と接触し、反対側で前記第二電極と接触している、請求項１に記載のデバイス。
【請求項１５】
前記有機トランジスターが、有機薄膜トランジスターである、請求項１４に記載のデバイス。
【請求項１６】
前記有機トランジスターが、有機発光トランジスターである、請求項１４に記載のデバイス。
【請求項１７】
Ｍは、
【化５４】
2012527784.tif 000004
である、請求項１に記載のデバイス。
［式中、
Ｒ５およびＲ６は、独立に、Ｈまたは−Ｌ−Ｒであり、
Ｌは、各存在において、独立に、Ｏ、Ｓ、および共有結合からなる群から選択され；
Ｒは、各存在において、独立に、Ｃ１−４０アルキル基である］。
【請求項１８】
電子、光学または光電子デバイスであって、該デバイスは、
第一電極、
第二電極、および
該第一電極と該第二電極との間に配置された半導体成分
を含み、
該半導体成分は下記：
【化５５】
2012527784.tif 000005
から選択される式を有するコポリマーを含む、デバイス
［式中、
Ｍは、任意に置換された２，１，３−ベンゾチアジアゾール−４，７−ジイル基であり、
Ｒは、分枝鎖Ｃ６−２０アルキル基であり、
Ｒ７は、直鎖Ｃ６−２０アルキル基または直鎖Ｃ６−２０アルコキシ基であり、
ｘおよびｙは、モル分率を表す実数であり、ここで、０．１≦ｘ≦０．９、０．１≦ｙ≦０．９であり、ｘおよびｙの合計は約１である］。
【請求項１９】
前記コポリマーが下記：
【化５６】
2012527784.tif 000006
から選択される式を有する、請求項１８に記載のデバイス
［式中、
Ｒは、分枝鎖Ｃ６−２０アルキル基であり、
Ｒ７は、直鎖Ｃ６−２０アルキル基であり、
ｘおよびｙは、モル分率を表す実数であり、ここで、０．２≦ｘ≦０．８、０．２≦ｙ≦０．８であり、ｘおよびｙの合計は約１である］。
【請求項２０】
前記コポリマーが下記：
【化５７】
2012527784.tif 000007
から選択される式を有する、請求項１８に記載のデバイス
［式中、
Ｒは、分枝鎖Ｃ６−２０アルキル基であり、
Ｒ７は、直鎖Ｃ６−２０アルコキシ基であり、
ｘおよびｙは、モル分率を表す実数であり、ここで、０．２≦ｘ≦０．８、０．２≦ｙ≦０．８であり、ｘおよびｙの合計は約１である］。
【請求項２１】
Ｍは、
【化５８】
2012527784.tif 000008
である、請求項１８に記載のデバイス。
［式中、
Ｒ５およびＲ６は、独立に、Ｈまたは−Ｌ−Ｒであり、
Ｌは、各存在において、独立に、Ｏ、Ｓ、および共有結合からなる群から選択され；
Ｒは、各存在において、独立に、Ｃ１−４０アルキル基である］。
【請求項２２】
０．５≦ｘ≦０．９、０．１≦ｙ≦０．５であり、ｘおよびｙの合計が約１である、請求項１８に記載のデバイス。
【請求項２３】
前記コポリマーのモル分率ｘを構成する単位、および該コポリマーのモル分率ｙを構成する単位が、ランダムに反復されている、請求項１８に記載のデバイス。
【請求項２４】
前記コポリマーが１０〜約１０，０００の重合度（ｎ）を有する、請求項１８に記載のデバイス。
【請求項２５】
アノード、カソード、および該アノードと該カソードとの間にある請求項１８に記載の半導体成分を含む有機光起電性デバイスとして構成された、請求項１８に記載のデバイス。
【請求項２６】
前記有機光起電性デバイスが、バルクヘテロ接合光起電性デバイスである、請求項２５に記載のデバイス。
【請求項２７】
基板、アノード、カソード、および該アノードと該カソードとの間にある請求項１８に記載の半導体成分を含む有機発光ダイオードとして構成された、請求項１８に記載のデバイス。
【請求項２８】
第三電極および誘電体成分をさらに含む有機トランジスターとして構成され、前記半導体成分が前記第一電極および該第三電極と接触し、該誘電体成分が、一方の側で該半導体成分と接触し、反対側で前記第二電極と接触している、請求項１８に記載のデバイス。
【請求項２９】
前記有機トランジスターが、有機薄膜トランジスターである、請求項２８に記載のデバイス。
【請求項３０】
前記有機トランジスターが、有機発光トランジスターである、請求項２８に記載のデバイス。
【手続補正２】
【補正対象書類名】明細書
【補正対象項目名】００１０
【補正方法】変更
【補正の内容】
【００１０】
本教示は、そのような化合物および半導体材料、ならびに、本明細書に開示されている化合物および半導体材料を組み込んだ種々の組成物、複合体およびデバイスを製造する方法も提供する。
本発明は、例えば以下の項目を提供する。
（項目１）
電子、光学または光電子デバイスであって、該デバイスは、
第一電極、
第二電極、および
該第一電極と該第二電極の間に配置された半導体成分
を含み、
該半導体成分は下記の式
【化３５】
2012527784.tif 000009
を有するコポリマーを含む、デバイス
［式中、
各Ｍは、１〜６個のヘテロ原子を含む任意に置換されたベンゾ縮合ヘテロアリール部分であり、かつ、下記の式
【化３６】
2012527784.tif 000010
によって表され、ここで、Ｈｅｔは、各存在において、その環中に少なくとも１個のヘテロ原子を含む単環式部分であり；
Ｘは、ＮまたＣＲ３であり；
Ｙは、ＮまたＣＲ４であり；
Ｒ１、Ｒ２、Ｒ３、Ｒ４、Ｒ５およびＲ６は、それぞれ、独立に、Ｈおよび−Ｌ−Ｒから選択され、ここで、
Ｌは、各存在において、独立に、Ｏ、Ｓおよび共有結合から選択され；
Ｒは、各存在において、独立に、Ｃ１−４０アルキル基であり；
Ｒ７は、各存在において、独立に、Ｃ１−４０アルキル基、Ｃ１−４０ハロアルキル基、Ｃ１−４０アルコキシ基、およびＣ１−４０アルキルチオ基から選択され；
ｘおよびｙは、モル分率を表す実数であり、ここで、０．１≦ｘ≦０．９、０．１≦ｙ≦０．９であり、ｘおよびｙの合計は約１である］。
（項目２）
前記コポリマーが下記の式を有する、項目１に記載のデバイス：
【化３７】
2012527784.tif 000011
［式中、Ｍ、Ｒ１、Ｒ２、Ｒ３、Ｒ４、Ｒ７、ｘおよびｙは、項目１において定義した通りである］。
（項目３）
Ｍが下記の
【化３８】
2012527784.tif 000012
から選択される、項目１または２に記載のデバイス
［式中、Ｒ８はＨまたはＣ１−４０アルキル基であり、Ｒ５およびＲ６は項目１において定義した通りである］。
（項目４）
Ｍが下記の
【化３９】
2012527784.tif 000013
から選択される、項目３に記載のデバイス
［式中、Ｒ５およびＲ６はＨまたはＣ１−４０アルキル基である］。
（項目５）
前記コポリマーが下記の式を有する、項目１に記載のデバイス：
【化４０】
2012527784.tif 000014
［式中、Ｒ５およびＲ６は独立にＨまたはＣ１−４０アルキル基であり、各Ｒ７は、Ｃ１−４０アルキル基またはＣ１−４０アルコキシ基であり、Ｒ１、Ｒ２、Ｚ、ｘおよびｙは項目１において定義した通りである］。
（項目６）
前記コポリマーが下記の式を有する、項目２に記載のデバイス：
【化４１】
2012527784.tif 000015
［式中、Ｒ５およびＲ６は独立にＨまたはＣ１−４０アルキル基であり、各Ｒ７はＣ１−４０アルキル基またはＣ１−４０アルコキシ基であり、Ｒ１、Ｒ２、Ｒ３、Ｒ４、ｘおよびｙは、項目１において定義した通りである］。
（項目７）
Ｒ１およびＲ２が、Ｃ１−４０アルキル基およびＣ１−４０アルコキシ基から選択され；Ｒ３およびＲ４がそれぞれＨである、項目２〜４のいずれか１つに記載のデバイス。
（項目８）
Ｒ１およびＲ２がそれぞれＨであり、Ｒ３およびＲ４がＣ１−４０アルキル基およびＣ１−４０アルコキシ基から選択される、項目２〜４のいずれか１つに記載のデバイス。
（項目９）
前記コポリマーが下記の式を有する、項目１に記載のデバイス：
【化４２】
2012527784.tif 000016
［式中、ＲはＣ１−４０アルキル基であり、Ｒ７、ｘおよびｙは項目１において定義した通りである］。
（項目１０）
前記コポリマーが下記の
【化４３】
2012527784.tif 000017
から選択される式を有する、項目１または２に記載のデバイス
［式中、Ｒ１、Ｒ２、Ｒ３、Ｒ４、Ｒ７、ｘおよびｙは、項目１において定義した通りである］。
（項目１１）
前記コポリマーが下記の
【化４４】
2012527784.tif 000018
から選択される式を有する、項目１に記載のデバイス
［式中、Ｒ、Ｒ７、ｘおよびｙは、項目１において定義した通りである］。
（項目１２）
Ｒが分岐鎖Ｃ６−２０アルキル基であり、Ｒ７が直鎖Ｃ６−２０アルキル基であり、ｘおよびｙがモル分率を表す実数であり、ここで、０．２≦ｘ≦０．８、０．２≦ｙ≦０．８であり、ｘおよびｙの合計が約１である、項目１１に記載のデバイス。
（項目１３）
Ｒが分岐鎖Ｃ６−２０アルキル基であり、Ｒ７が直鎖Ｃ６−２０アルコキシ基であり、ｘおよびｙがモル分率を表す実数であり、ここで、０．２≦ｘ≦０．８、０．２≦ｙ≦０．８であり、ｘおよびｙの合計が約１である、項目１１に記載のデバイス。
（項目１４）
前記コポリマーが下記の
【化４５】
2012527784.tif 000019
から選択される式を有する、項目１に記載のデバイス
［式中、Ｒ、Ｒ７、ｘおよびｙは、項目１において定義した通りである］。
（項目１５）
Ｒが分岐鎖Ｃ６−２０アルキル基であり、Ｒ７が直鎖Ｃ６−２０アルキル基であり、ｘおよびｙがモル分率を表す実数であり、ここで、０．２≦ｘ≦０．８、０．２≦ｙ≦０．８であり、ｘおよびｙの合計が約１である、項目１４に記載のデバイス。
（項目１６）
Ｒが分岐鎖Ｃ６−２０アルキル基であり、Ｒ７が直鎖Ｃ６−２０アルコキシ基であり、ｘおよびｙがモル分率を表す実数であり、ここで、０．２≦ｘ≦０．８、０．２≦ｙ≦０．８であり、ｘおよびｙの合計が約１である、項目１４に記載のデバイス。
（項目１７）
前記コポリマーが下記の
【化４６−１】
2012527784.tif 000020
【化４６−２】
2012527784.tif 000021
から選択される式を有する、項目１に記載のデバイス
［式中、Ｒは、各存在において、独立にＣ６−２０アルキル基であり、ｘおよびｙはモル分率を表す実数であり、ここで、０．２≦ｘ≦０．８、０．２≦ｙ≦０．８であり、ｘおよびｙの合計は約１である］。
（項目１８）
０．５≦ｘ≦０．９、０．１≦ｙ≦０．５であり、ｘおよびｙの合計が約１である、項目１〜１７のいずれか１つに記載のデバイス。
（項目１９）
前記コポリマーのｘモル分率を構成する単位、および該コポリマーのｙモル分率を構成する単位が、ランダムに反復されている、項目１〜１８のいずれか１つに記載のデバイス。
（項目２０）
前記コポリマーが１０〜約１０，０００の重合度を有する、項目１〜１９のいずれか１つに記載のデバイス。
（項目２１）
アノード、カソード、および該アノードと該カソードとの間にある項目１〜２０のいずれか１つに記載の半導体成分を含む有機光起電性デバイスとして構成された、項目１〜２０のいずれか１つに記載のデバイス。
（項目２２）
前記有機光起電性デバイスが、バルクヘテロ接合光起電性デバイスである、項目２１に記載のデバイス。
（項目２３）
前記半導体成分が、光起電性であり、かつ、ブレンド材料を含み、該ブレンド材料中の前記コポリマーが電子供与体として機能し、該ブレンド材料が電子受容化合物をさらに含む、項目２２に記載のデバイス。
（項目２４）
前記電子受容化合物がフラーレン化合物である、項目２３に記載のデバイス。
（項目２５）
前記フラーレン化合物が、［６、６］−フェニル−Ｃ６１−酪酸メチルエステル（ＰＣＢＭ）である、項目２４に記載のデバイス。
（項目２６）
電力変換効率が少なくとも約４％である、項目２１〜２５に記載のデバイス。
（項目２７）
基板、アノード、カソード、および該アノードと該カソードとの間にある項目１〜２０のいずれか１つに記載の半導体成分を含む有機発光ダイオードとして構成された、項目１〜２０のいずれか１つに記載のデバイス。
（項目２８）
第三電極および誘電体成分をさらに含む有機トランジスターとして構成され、前記半導体成分が第一電極および第三電極と接触し、該誘電体成分が、一方の側で該半導体成分と接触し、反対側で前記第二電極と接触している、項目１〜２０のいずれか１つに記載のデバイス。
（項目２９）
前記有機トランジスターが、有機薄膜トランジスターである、項目２８に記載のデバイス。
（項目３０）
前記有機トランジスターが、有機発光トランジスターである、項目２８に記載のデバイス。